(57)【要約】【課題】肌に対するフィット性及び漏れ防止性に優れ、且つ肌に優しく着用感が良好な吸収性物品を提供すること。【解決手段】レッグ弾性部材６１は、背側股下領域Ｂｃにおいては、レッグ開口縁Ｂ１（Ｂ２）の近傍に該レッグ開口縁に沿って配され、腹側股下領域Ｂａにおいては、長手方向中心線ＣＬ１から腹側領域Ａに向かうにつれて該レッグ開口縁Ｂ１（Ｂ２）から徐々に離間するように、該レッグ開口縁の近傍から腹側股下領域Ｂａの幅方向中央部に亘って配されている。レッグ弾性部材６１の長手方向先端６１ｅが、股下弾性部材７１の配置領域Ｄ又はその近傍に達している。吸収性物品１には、腹側領域Ａと腹側股下領域Ｂａとの境界又はその近傍を始端としてレッグ開口縁Ｂ１（Ｂ２）の近傍に該レッグ開口縁に沿って配され且つ股下弾性部材７１に達する弾性部材が配されていない。【選択図】図３
2010051344.tif 000002
【特許請求の範囲】
【請求項１】
着用時に着用者の腹側に配される腹側領域、股下に配される股下領域、及び背側に配される背側領域を有し、該股下領域の両側縁が、それぞれ着用者の脚周りに沿うように凹状に湾曲してレッグ開口縁を形成している吸収性物品であって、
前記吸収性物品の展開状態において、長手方向中心線によって前記股下領域を前記腹側領域寄りに位置する腹側股下領域と、前記背側領域寄りに位置する背側股下領域とに区分したときに、該背側領域と該背側股下領域との境界又はその近傍から該長手方向中心線を跨いで該腹側股下領域に亘るレッグ弾性部材が、幅方向中心線を挟んで左右両側それぞれに伸長状態で配されていると共に、前記腹側股下領域に股下弾性部材が、前記吸収性物品の幅方向に沿って伸長状態で配されており、
前記レッグ弾性部材は、前記背側股下領域においては、前記レッグ開口縁の近傍に該レッグ開口縁に沿って配され、前記腹側股下領域においては、前記長手方向中心線から前記腹側領域に向かうにつれて該レッグ開口縁から徐々に離間するように、該レッグ開口縁の近傍から該腹側股下領域の幅方向中央部に亘って配されており、
前記腹側股下領域に位置する前記レッグ弾性部材の長手方向先端が、前記股下弾性部材の配置領域又はその近傍に達しており、
前記腹側領域と前記腹側股下領域との境界又はその近傍を始端として前記レッグ開口縁の近傍に該レッグ開口縁に沿って配され且つ前記股下弾性部材に達する弾性部材が配されていない吸収性物品。
【請求項２】
前記幅方向中心線を挟んで左側に位置する前記レッグ弾性部材と右側に位置する前記レッグ弾性部材とは、前記腹側股下領域の幅方向中央部において繋がっていない請求項１記載の吸収性物品。
【請求項３】
前記腹側股下領域に位置する前記レッグ弾性部材の長手方向先端が、着用者の排尿部と対向する排尿部対向部よりも前記腹側領域寄りに存在している請求項１又は２記載の吸収性物品。
【請求項４】
前記股下弾性部材の配置領域の前記幅方向中心線に沿った長さが、前記腹側股下領域の該幅方向中心線に沿った長さを１００としたときに１０〜５０の範囲にある請求項１〜３の何れかに記載の吸収性物品。
【発明の詳細な説明】
【技術分野】
【０００１】
本発明は、パンツ型使い捨ておむつ等の吸収性物品に関する。
【背景技術】
【０００２】
従来、使い捨ておむつとしては、テープファスナー等の締結手段を用いた展開型の使い捨ておむつが主流であったが、近年、パンツ型使い捨ておむつが上市されている。このパンツ型使い捨ておむつは、立位の状態においても装着及び離脱が容易という特長を有している。例えば特許文献１には、使用状態においてウエスト開口部及び左右のレッグ開口部が形成され、そのウエスト開口縁から該レッグ開口部の開口始端に至る長さ範囲の胴周り部と、該胴周り部に隣接し該レッグ開口部を形成する長さ範囲の股部とに、周方向に沿って弾性部材が配されているパンツ型使い捨ておむつが記載されている。特許文献１に記載のパンツ型使い捨ておむつによれば、前記弾性部材が所定位置に配されているため見栄えが良く、且つ良好な着用感及びフィット感が得られるとされている。
【０００３】
しかし、特許文献１に記載のパンツ型使い捨ておむつは、レッグ開口縁に沿って弾性部材が配されておらず、いわゆるレッグギャザーを具備していないため、着用者の脚周りに対するフィット性に乏しく、レッグ開口縁と着用者の大腿部との間に隙間が生じ、該隙間から排泄液が漏れるおそれがある。
【０００４】
ところで、使い捨ておむつ等の吸収性物品におけるレッグギャザーは、該吸収性物品の展開状態において該吸収性物品を長手方向中心線によって前身頃と後身頃とに二分したときに、通常、前身頃に位置するレッグ開口部の始端近傍から後身頃の股下部に亘って伸長状態で配置された前部レッグ弾性部材と、該後身頃に位置するレッグ開口部の始端近傍から該前身頃の股下部に亘って伸長状態で配置された後部レッグ弾性部材とによって形成されており、レッグ開口縁の略全周に亘って存している（例えば特許文献２参照）。このように、前身頃から後身頃に亘る前部レッグ弾性部材と後身頃から前身頃に亘る後部レッグ弾性部材とをレッグ開口縁の近傍に該レッグ開口縁に沿って配してレッグギャザーを形成することにより、レッグ開口縁全体が着用者の鼠けい部よりも大腿部側に位置する脚周りにフィットし、これによりレッグ開口部からの漏れが効果的に防止される。
【０００５】
しかし、特許文献２に記載の如きおむつ、即ちレッグ開口縁の全周にレッグギャザー形成用のレッグ弾性部材が配されているおむつは、特に着用者の排尿部と対向する部位と肌との間に隙間が生じやすく、そのため漏れ防止性の点で問題があった。また、このようなおむつは、着用時において本来鼠けい部よりも大腿部側に位置すべき前記前部レッグ弾性部材が、着用時に鼠けい部と重なるように位置しやすく、鼠けい部が前部レッグ弾性部材によって過度に締め付けられやすいため、鼠けい部にゴム跡が付いたり鼠けい部が赤く腫れたりするなど、着用感の点でも問題があった。
【０００６】
【特許文献１】特開２００２−２７２７８３号公報
【特許文献２】特開２００６−６１６８０号公報
【発明の開示】
【発明が解決しようとする課題】
【０００７】
従って、本発明の目的は、肌に対するフィット性及び漏れ防止性に優れ、且つ肌に優しく着用感が良好な吸収性物品を提供することにある。
【課題を解決するための手段】
【０００８】
本発明は、着用時に着用者の腹側に配される腹側領域、股下に配される股下領域、及び背側に配される背側領域を有し、該股下領域の両側縁が、それぞれ着用者の脚周りに沿うように凹状に湾曲してレッグ開口縁を形成している吸収性物品であって、前記吸収性物品の展開状態において、長手方向中心線によって前記股下領域を前記腹側領域寄りに位置する腹側股下領域と、前記背側領域寄りに位置する背側股下領域とに区分したときに、該背側領域と該背側股下領域との境界又はその近傍から該長手方向中心線を跨いで該腹側股下領域に亘るレッグ弾性部材が、幅方向中心線を挟んで左右両側それぞれに伸長状態で配されていると共に、前記腹側股下領域に股下弾性部材が、前記吸収性物品の幅方向に沿って伸長状態で配されており、前記レッグ弾性部材は、前記背側股下領域においては、前記レッグ開口縁の近傍に該レッグ開口縁に沿って配され、前記腹側股下領域においては、前記長手方向中心線から前記腹側領域に向かうにつれて該レッグ開口縁から徐々に離間するように、該レッグ開口縁の近傍から該腹側股下領域の幅方向中央部に亘って配されており、前記腹側股下領域に位置する前記レッグ弾性部材の長手方向先端が、前記股下弾性部材の配置領域又はその近傍に達しており、前記腹側領域と前記腹側股下領域との境界又はその近傍を始端として前記レッグ開口縁の近傍に該レッグ開口縁に沿って配され且つ前記股下弾性部材に達する弾性部材が配されていない吸収性物品を提供することにより、前記目的を達成したものである。
【発明の効果】
【０００９】
本発明の吸収性物品は、肌に対するフィット性に優れ、漏れを起こし難く、漏れに対して安心感が得られ、且つ肌に優しく着用感が良好である。
【発明を実施するための最良の形態】
【００１０】
以下、本発明の吸収性物品について、その好ましい実施形態に基づき図面を参照しながら説明する。図１には、本発明の第１実施形態であるパンツ型使い捨ておむつの一実施形態を腹側から見たときの斜視図が示されている。図２には、図１に示すおむつを組み立てる前の状態の分解斜視図が示されている。図３には、図１に示すおむつにおける外包材の展開状態を示す肌当接面側（着用時に着用者の肌と対向する面側）の平面図が示されている。尚、おむつ（吸収性物品）の展開状態とは、第１実施形態の如きパンツ型使い捨ておむつにおいては、後述するサイドシール部Ｓが接合される前の状態をいい、テープファスナー等の締結手段を用いた展開型の使い捨ておむつにおいては、該締結手段によって腹側と背側とが締結されずに平面状に拡げられた状態をいう。
【００１１】
本実施形態の使い捨ておむつ１は、液透過性の表面シート２、撥水性又は防漏性の裏面シート３、及び両シート２，３間に介在配置された液保持性の吸収性コア４を有する実質的に縦長の吸収性本体１０と、該吸収性本体１０の裏面シート３側に配された外包材１１とを備えている。
【００１２】
外包材１１は、使い捨ておむつ１の長手方向の両側縁が、長手方向中央部において内方に括れた砂時計型の形状をしており、使い捨ておむつの輪郭を形成している。使い捨ておむつ１は、着用時に着用者の腹側に配される腹側領域Ａ、股下に配される股下領域Ｂ、及び背側に配される背側領域Ｃを有している。股下領域Ｂの両側縁Ｂ１，Ｂ２は、それぞれ着用者の脚周りに沿うように凹状に湾曲してレッグ開口縁Ｂ１，Ｂ２を形成している。使い捨ておむつ１は、腹側領域Ａの両側縁Ａ１，Ａ２と背側領域Ｃの両側縁Ｃ１，Ｃ２とが互いに接合されており、この接合によって、一対のサイドシール部Ｓ、ウエスト開口部５及び一対のレッグ開口部６が形成されている。この接合方法としては、ヒートシール、高周波シール、超音波シール等の接合方法が用いられる。レッグ開口部６は、レッグ開口縁Ｂ１（Ｂ２）によって画成されている。
【００１３】
表面シート２、裏面シート３及び吸収性コア４はそれぞれ矩形状であり、一体化されて縦長の吸収性本体１０を形成している。表面シート２及び撥水性や防漏性の裏面シート３としては、従来この種のおむつに用いられている材料と同様のものを用いることができる。また吸収性コア４は、高吸収性ポリマーの粒子及び繊維材料から構成されており、ティッシュペーパー（図示せず）によって被覆されている。吸収性コア４としては、パルプ繊維等の繊維から成る繊維集合体又はこれに高吸収性ポリマーを保持させてなるもの等を好ましく用いることができる。繊維集合体は、不織布も含む概念である。高吸収性ポリマーを保持する形態としては、繊維集合体の繊維間に分散して保持されている形態、２層以上からなる繊維層の間にサンドイッチされている形態、高吸収性ポリマーからなる層と繊維集合体からなる層とが、蓄層された状態でティッシュペーパー等で包まれている状態等を用いることができる。
【００１４】
外包材１１は、少なくとも二枚の不織布、即ち外層不織布１２と該外層不織布１２の内面側に配された内層不織布１３とを有している。外層不織布１２は使い捨ておむつ１の外面をなし、内層不織布１３は外層不織布１２の内側面に、ホットメルト粘着材等の接着剤によって接合されている。外層不織布１２と内層不織布１３は液の染み出し性を考慮すると、両方ともに撥水性であることが好ましい。
【００１５】
外包材１１における長手方向の前後部には、前後部の前後端縁に沿って、複数のウエスト弾性部材５１が、その幅方向に亘り配されている。各ウエスト弾性部材５１は、外層不織布１２と内層不織布１３とによって伸張状態で挟持固定されている。各ウエスト弾性部材５１は使い捨ておむつ１の腹側領域Ａの両側縁Ａ１，Ａ２と背側領域Ｃの両側縁Ｃ１，Ｃ２とを互いに接合させてサイドシール部Ｓを形成したときに、両弾性部材５１、５１の端部同士が重なるように配されている。
【００１６】
外層不織布１２は、外層不織布１２と内層不織布１３とによって各ウエスト弾性部材５１，５１を挟持固定する部位よりも更に延出する長さを有し、外層不織布１２の内層不織布１３から延出した部分が吸収性本体１０側に折り返されている。外層不織布１２の折り返した部分により、吸収性本体１０の長手方向前後端部の肌当接面、即ち吸収性本体１０の長手方向前後端部における表面シート２の肌当接面が被覆されている。
【００１７】
外包材１１における左右両側の凹状に湾曲したレッグ開口縁Ｂ１，Ｂ２それぞれには、複数本（第１実施形態では３本）のレッグ弾性部材６１が配されている。即ち、図３に示す如き使い捨ておむつ１の展開状態において、長手方向中心線（おむつ１を長手方向に二分する仮想直線）ＣＬ１によって股下領域Ｂを腹側領域Ａ寄りに位置する腹側股下領域Ｂａと、背側領域Ｃ寄りに位置する背側股下領域Ｂｃとに区分したときに、背側領域Ｃと背側股下領域Ｂｃとの境界又はその近傍から長手方向中心線ＣＬ１を跨いで腹側股下領域Ｂａに亘るレッグ弾性部材６１が、幅方向中心線ＣＬ２（おむつ１を幅方向に二分する仮想直線）を挟んで左右両側それぞれに伸長状態で配されている。左側に位置するレッグ弾性部材６１と右側に位置するレッグ弾性部材６１とは、幅方向中心線ＣＬ２を挟んで左右対称に配されている。
【００１８】
各レッグ弾性部材６１は、図３に示すように、背側股下領域Ｂｃにおいては、レッグ開口縁Ｂ１（Ｂ２）の近傍に該レッグ開口縁Ｂ１（Ｂ２）に沿って配され、腹側股下領域Ｂａにおいては、長手方向中心線ＣＬ１から腹側領域Ａに向かうにつれてレッグ開口縁Ｂ１（Ｂ２）から徐々に離間するように、該レッグ開口縁Ｂ１（Ｂ２）の近傍から腹側股下領域Ｂａの幅方向中央部に亘って配されている。腹側股下領域Ｂａにおいて各レッグ弾性部材６１は、長手方向中心線ＣＬ１との交点を始点とし幅方向中心線ＣＬ２に対して傾斜するように配されている傾斜部と、該幅方向中心線ＣＬ２と直交する方向に延びる直交部とを有し、該傾斜部の存在によって、上述したようにレッグ弾性部材６１がレッグ開口縁Ｂ１（Ｂ２）から徐々に離間するようになされている。各レッグ弾性部材６１は、外層不織布１２と内層不織布１３との間に配されており、接着剤やヒートシール等の所定の接合手段によって、両不織布１２、１３に伸張状態で固定されている。
【００１９】
第１実施形態の使い捨ておむつ１の主たる特徴の一つは、上述したように背側股下領域Ｂｃから腹側股下領域Ｂａに亘ってレッグ弾性部材６１が伸長状態で配されていると共に、該腹側股下領域Ｂａに股下弾性部材７１が、使い捨ておむつ１の幅方向に沿って伸長状態で配されている点にある。そして、第１実施形態の使い捨ておむつ１は、これら２種類の弾性部材６１，７１を具備している代わりに、「腹側領域Ａと腹側股下領域Ｂａとの境界又はその近傍を始端としてレッグ開口縁Ｂ１（Ｂ２）の近傍に該レッグ開口縁Ｂ１（Ｂ２）に沿って配され且つ股下弾性部材７１に達する弾性部材」（以下、腹側レッグ弾性部材という）を具備していない。即ち、第１実施形態の使い捨ておむつ１においては、レッグ弾性部材６１によって、長手方向中心線ＣＬ１よりも背側領域Ｃ寄りに位置するレッグ開口縁Ｂ１（Ｂ２）にはレッグギャザーが形成されるものの、前記腹側レッグ弾性部材を具備していないため、腹側領域Ａと腹側股下領域Ｂａとの境界又はその近傍から少なくとも股下弾性部材７１の配置領域Ｄ（後述する）に亘って存する、長手方向中心線ＣＬ１よりも腹側領域Ａ寄りに位置するレッグ開口縁Ｂ１（Ｂ２）にはレッグギャザーが形成されない。
【００２０】
このように、背側股下領域Ｂｃから腹側股下領域Ｂａにかけてのレッグ開口縁Ｂ１（Ｂ２）の近傍にレッグ弾性部材６１を配し、且つ腹側股下領域Ｂａから背側股下領域Ｂｃにかけてのレッグ開口縁Ｂ１（Ｂ２）の近傍にはレッグ弾性部材（前記腹側レッグ弾性部材）を配さないことにより、レッグ弾性部材による応力のバランスをおむつ１の長手方向前後で故意に崩し、これによりおむつ１の特に股下から背側にかけての部位の幅方向中央部が、レッグ弾性部材６１によって背側に引っ張られるようになる。おむつ１の着用時には、このレッグ弾性部材６１による背側方向への引っ張り力によって、股下から背側にかけての部位の幅方向中央部を中心としておむつ１全体が背側に引っ張り上げられるようになり、これによりおむつ１の肌に対するフィット性が高まり、その結果おむつ１における着用者の排尿部との対向部位と肌との間に隙間を生じ難くなり、漏れの防止や着用者の漏れに対する不安感の解消が図られる。また、腹側股下領域Ｂａには、前記腹側レッグ弾性部材が配されていない代わりに股下弾性部材７１が配されているため、該領域Ｂａの肌に対するフィット性は良好である。
【００２１】
また仮に、前記腹側レッグ弾性部材が配されていると、即ち、長手方向中心線ＣＬ１よりも腹側領域Ａ寄りに位置するレッグ開口縁Ｂ１（Ｂ２）に沿って弾性部材が配されていると、通常おむつの着用者は前屈みの姿勢をとることが多く、尿等の体液を吸収した吸収性コア４の重みが身体の前側にかかりやすいことなどもあって、前記腹側レッグ弾性部材がおむつ着用時に着用者の鼠けい部と重なってこれを過度に締め付ける場合があり、その場合鼠けい部にゴム跡が付いたり鼠けい部が赤く腫れたりするなど、着用感の低下を招くおそれがあるが、第１実施形態のおむつ１は前記腹側レッグ弾性部材を具備していないため、このような不都合を起こすおそれがなく、着用感に優れている。
【００２２】
各レッグ弾性部材６１は、図３に示すように、その一端（始端）６１ｓが、背側領域Ｃの側縁Ｃ１（Ｃ２）における背側領域Ｃと背側股下領域Ｂｃとの境界ＢＬの近傍に位置し、他端６１ｅは、腹側股下領域Ｂａにおいて吸収性本体１０（吸収性コア４）の長手方向左右両側縁の延長線よりもおむつ１の内方に位置しているが、幅方向中心線ＣＬ２に達する前に終端しており、幅方向中心線ＣＬ２を跨いでいない。従って、幅方向中心線ＣＬ２を挟んで左側に位置するレッグ弾性部材６１と右側に位置するレッグ弾性部材６１とは、腹側股下領域Ｂａの幅方向中央部において繋がっていない。このように、レッグ弾性部材６１が腹側股下領域Ｂａの幅方向中央部において幅方向の左右に分離されていることにより、該幅方向中央部において分離されずに繋がっている場合に比して、おむつ着用時にレッグ弾性部材６１の収縮による吸収性本体１０（吸収性コア４）の縮み等の変形が抑制されるため、上述したレッグ弾性部材６１によるおむつの引っ張り上げ効果が奏されやすくなり、フィット性や漏れ防止性を更に向上させることが可能となる。
【００２３】
斯かる効果を確実に奏させるようにする観点から、腹側股下領域Ｂａにおいて幅方向中心線ＣＬ２を挟んで左側に位置するレッグ弾性部材６１と右側に位置するレッグ弾性部材６１との離間距離Ｌ１（図３参照）は、好ましくは１０〜８０ｍｍ、更に好ましくは２０〜５０ｍｍである。
【００２４】
また、各レッグ弾性部材６１の始端６１ｓと境界ＢＬとの離間距離は、好ましくは４０ｍｍ以内、更に好ましくは２０ｍｍ以内である。また、背側股下領域Ｂｃにおいて各レッグ弾性部材６１は、レッグ開口縁Ｂ１（Ｂ２）から３０ｍｍ以内、特に２０ｍｍ以内の領域に配されていることが好ましい。
【００２５】
また、腹側股下領域Ｂａに位置するレッグ弾性部材６１の長手方向先端〔他端（終端）６１ｅ〕は、おむつ１における着用者の排尿部と対向する排尿部対向部（図示せず）よりも腹側領域Ａ寄りに存在していることが好ましい。より具体的には、腹側股下領域Ｂａに位置するレッグ弾性部材６１の長手方向先端〔他端（終端）６１ｅ〕と長手方向中心線ＣＬ１との間の最短距離Ｌ２（図３参照）は、腹側股下領域Ｂａの幅方向中心線ＣＬ２に沿った長さ（即ち図３において符合Ｂａが付されている矢印の長さ）を１００としたときに４２以上の範囲にあることが好ましく、４２〜７２の範囲にあることが更に好ましい。また特におむつ１がベビー用のＬサイズおむつである場合、前記最短距離Ｌ２は６０ｍｍ以上であることが好ましく、６０〜１００ｍｍの範囲にあることが更に好ましい。ここで、「腹側股下領域に位置するレッグ弾性部材の長手方向先端」は、レッグ弾性部材６１において腹側領域Ａに最も近接している（長手方向中心線ＣＬ１から最も遠い）部位（以下、腹側最近接部位という）であり、第１実施形態のようにレッグ弾性部材６１が複数本配されて複数の腹側最近接部位が存している場合は、該複数の腹側最近接部位のうち腹側領域Ａに最も近接している（長手方向中心線ＣＬ１から最も遠い）ものを意味する。
【００２６】
このように、腹側股下領域Ｂａに位置するレッグ弾性部材６１の長手方向先端が排尿部対向部よりも腹側領域Ａ寄りに存在している、あるいは前記最短距離Ｌ２を腹側股下領域Ｂａの幅方向中心線ＣＬ２に沿った長さとの関係において前記範囲に設定する、あるいはベビー用のＬサイズおむつにおいて前記最短距離Ｌ２を６０ｍｍ以上とすることにより、レッグ弾性部材６１が、背側股下領域Ｂｃから長手方向中心線ＣＬ１を跨いで、腹側股下領域Ｂａに位置する排尿部対向部まで存在するようになるため、上述したレッグ弾性部材６１によるおむつの引っ張り上げ効果により、該排尿部対向部のフィット性が一層高まり、漏れの防止や着用者の漏れに対する不安感の解消がより効果的に図られる。
【００２７】
股下弾性部材７１は、腹側股下領域Ｂａにおいて外層不織布１２と内層不織布１３とによって、おむつ１の幅方向に沿って伸張状態で挟持固定されており、且つ図３に示すように、幅方向中心線ＣＬ２を挟んで幅方向の左右に分離された状態に配されている。第１実施形態では、幅方向中心線ＣＬ２を挟んで左側及び右側それぞれに股下弾性部材７１が５本ずつ配されている。左側に位置する股下弾性部材７１と右側に位置する股下弾性部材７１とは、幅方向中心線ＣＬ２を挟んで左右対称に配されている。
【００２８】
各股下弾性部材７１は、腹側股下領域Ｂａにおける長手方向両側部に伸張状態で配されている一方、該腹側股下領域Ｂａにおける幅方向中央部には実質的に配されていない。具体的には、各股下弾性部材７１は、図３に示すように、腹側股下領域Ｂａの左右両側縁（レッグ開口縁）Ｂ１，Ｂ２から、吸収性本体１０（吸収性コア４）の長手方向左右両側縁の延長線の位置をやや超えるくらいまでの範囲に存しているが、吸収性本体１０の一方の側縁の延長線と他方の側縁の延長線との間には、各延長線に近い僅かな部分しか存在していない。
【００２９】
幅方向中心線ＣＬ２を挟んで左側に位置する股下弾性部材７１と右側に位置する股下弾性部材７１との離間距離Ｌ３（図３参照）は、好ましくは２０〜１００ｍｍ、更に好ましくは４０〜９０ｍｍである。前記距離Ｌ１と前記距離Ｌ３とは同じでも良く、異なっていても良い。両者が異なっている場合、距離Ｌ３の方が大きくても良く、あるいは距離Ｌ１の方が大きくても良い。
【００３０】
第１実施形態の使い捨ておむつ１においては、腹側股下領域Ｂａに位置するレッグ弾性部材６１の長手方向先端〔前記他端（終端）６１ｅ〕が、股下弾性部材７１の配置領域Ｄ又はその近傍に達している。ここで、「腹側股下領域に位置するレッグ弾性部材の長手方向先端」は上述した通りであり、また、「股下弾性部材の配置領域」は、腹側領域Ａに最も近接している（長手方向中心線ＣＬ１から最も遠い）股下弾性部材７１と一致し且つおむつ１を幅方向に横断する仮想直線Ｐ（図３参照）と、腹側領域Ａから最も遠い（長手方向中心線ＣＬ１に最も近接している）股下弾性部材７１と一致し且つおむつ１を幅方向に横断する仮想直線Ｑ（図３参照）とによって挟まれた領域を意味し、股下弾性部材７１が１本の場合は、該１本の股下弾性部材７１と一致し且つおむつ１を幅方向に横断する１本の仮想直線Ｒ（図示せず）そのものを意味する。
【００３１】
このように、レッグ弾性部材６１の長手方向先端（他端６１ｅ）が股下弾性部材７１の配置領域Ｄ又はその近傍に達していることにより、特に股下領域Ｂの肌へのフィット性が高まり、漏れの防止や着用者の漏れに対する不安感の解消が図られる。レッグ弾性部材６１の長手方向先端（他端６１ｅ）は、配置領域Ｄにおける股下弾性部材７１と重なっていても良い。また、「レッグ弾性部材６１の長手方向先端（他端６１ｅ）が配置領域Ｄの近傍に達している」とは、配置領域Ｄに達しておらず該配置領域Ｄよりも長手方向中心線ＣＬ１寄りの位置で終端している、レッグ弾性部材６１の長手方向先端と、前記仮想直線Ｑとの間の最短距離が、概ね２０ｍｍ以内の場合を意味する。
【００３２】
股下弾性部材７１の配置領域Ｄの幅方向中心線ＣＬ２に沿った長さ（即ち図３において前記仮想直線Ｐと前記仮想直線Ｑとの間の距離）は、腹側股下領域Ｂａの幅方向中心線ＣＬ２に沿った長さ（即ち図３において符合Ｂａが付されている矢印の長さ）を１００としたときに１０〜５０の範囲、特に１０〜３０の範囲にあることが、着用感の良さと排尿部との隙間の抑制効果を兼ね備えている点で好ましい。
【００３３】
第１実施形態の使い捨ておむつ１で用いられる弾性部材５１，６１，７１をはじめとする各種弾性部材としては、従来この種のおむつに用いられている材料と同様のものを用いることができ、糸ゴム、平ゴム、フィルムタイプのゴム等を用いることができる。
【００３４】
以上の構成を有する第１実施形態の使い捨ておむつ１は、通常のパンツ型使い捨ておむつと同様に使用することができ、肌に対するフィット性に優れ、漏れを起こし難く、漏れに対して安心感が得られ、且つ肌に優しく着用感が良好である。また第１実施形態の使い捨ておむつ１は、レッグ開口縁の全周にレッグギャザーを形成する従来の吸収性物品に比してレッグ弾性部材の配置形態が簡略化されているため、高性能でありながらも製造コストを低く抑えることができる。第１実施形態の使い捨ておむつ１は、特に２〜３歳の高月齢児用の使い捨ておむつとして好適である。
【００３５】
図４には、本発明の吸収性物品の第２実施形態が示されている。第２実施形態については、上述した第１実施形態の使い捨ておむつ１と異なる構成部分を主として説明し、同様の構成部分は同一の符号を付して説明を省略する。特に説明しない構成部分は、第１実施形態のおむつ１についての説明が適宜適用される。
【００３６】
第２実施形態の使い捨ておむつは、腹側領域Ａ及び背側領域Ｃそれぞれにおけるウエスト弾性部材５１の配置領域と股下領域Ｂとの間に、該使い捨ておむつの幅方向に延びる胴周り弾性部材８１が複数本配されている点で、第１実施形態と異なる。胴周り弾性部材８１は、腹側領域Ａ及び背側領域Ｃそれぞれにおいて、幅方向中心線ＣＬ２を挟んで幅方向の左右に分離された状態に配されている。左側に位置する胴周り弾性部材８１と右側に位置する胴周り弾性部材８１とは、幅方向中心線ＣＬ２を挟んで左右対称に配されている。各胴周り弾性部材８１は、外層不織布１２と内層不織布１３とによって、おむつ１の幅方向に沿って伸張状態で挟持固定されている。
【００３７】
胴周り弾性部材８１は、腹側領域Ａ及び背側領域Ｃそれぞれにおける長手方向両側部に伸張状態で配されている一方、腹側領域Ａ及び背側領域Ｃそれぞれにおける幅方向中央部には実質的に配されていない。具体的には、各胴周り弾性部材８１は、おむつの左右両側縁（即ち外包材１１の左右両側縁）Ａ１，Ａ２（Ｃ１，Ｃ２）から、吸収性本体１０（吸収性コア４）の左右両側縁の延長線の位置をやや超えるくらいまでの範囲に存しているが、吸収性コア４の一方の側縁の延長線と他方の側縁の延長線との間には、各延長線に近い僅かな部分しか存在していない。幅方向中心線ＣＬ２を挟んで左側に位置する胴周り弾性部材８１と右側に位置する胴周り弾性部材８１との離間距離は、股下弾性部材７１についての前記離間距離Ｌ３と同じ範囲に設定することができる。
【００３８】
第２実施形態によっても第１実施形態と同様の効果を奏する。第２実施形態の使い捨ておむつは、特に１〜２歳半くらいの幼児用の使い捨ておむつとして好適である。
【００３９】
本発明の吸収性物品は、前記実施形態に制限されない。例えば、前記実施形態の使い捨ておむつ１においては外包材１１を外層及び内層不織布１２，１３から構成したが、外包材の材料はこれに限られず、例えば不織布と撥水性シートの積層であっても良い。更には、前記実施形態の使い捨ておむつ１においてはおむつの輪郭を画成する外包材１１と、その上に載置される吸収性本体１０とからおむつ１が構成されていたが、これに代えて、表面シート及び裏面シートによっておむつの輪郭を画成させ、両シート間に吸収性コアを介在配置しても良い。
【００４０】
また、本発明の吸収性物品の適用例の一つとしてパンツ型使い捨ておむつを挙げたが、テープファスナー等の締結手段を用いた展開型の使い捨ておむつ、生理用ナプキン、パンティライナー（おりものシート）、失禁パッド、軽失禁ライナー等にも適用できる。
【図面の簡単な説明】
【００４１】
【図１】図１は、本発明の吸収性物品の第１実施形態であるパンツ型使い捨ておむつを示す腹側の斜視図である。
【図２】図２は、図１に示すおむつを組み立てる前の状態を示す分解斜視図である。
【図３】図３は、図１に示す外包材の展開状態を示す肌当接面側の平面図である。
【図４】図４は、本発明の吸収性物品の第２実施形態の図３相当図である。
【符号の説明】
【００４２】
１  吸収性物品（パンツ型使い捨ておむつ）
２  表面シート
３  裏面シート
４  吸収性コア
５  ウエスト開口部
６  レッグ開口部
１０  吸収性本体
５１  ウエスト弾性部材
６１  レッグ弾性部材
７１  股下弾性部材
８１  胴周り弾性部材
Ａ  腹側領域
Ｂ  股下領域
Ｂａ  腹側股下領域
Ｂｃ  背側股下領域
Ｂ１，Ｂ２  レッグ開口縁
Ｃ  背側領域
Ｄ  股下弾性部材の配置領域
ＣＬ１  長手方向中心線
ＣＬ２  幅方向中心線
【図１】
2010051344.tif 000003
【図２】
2010051344.tif 000004
【図３】
2010051344.tif 000005
【図４】
2010051344.tif 000006